(57)【要約】【課題】電池の負荷特性の低下を抑制しつつ、内部短絡時の安全性を向上させる。【解決手段】正極１１と負極１２が複数積層された構造を有する積層型電池１００は、正極１１、負極１２のうちの一方の電極である複数の第１の電極と、正極１１、負極１２のうちの他方の電極である複数の第２の電極と、全ての第１の電極と電気的に接続されている第１の端子と、第１の電極と第１の端子との間を接続する第１の引き出し部と、全ての第２の電極と電気的に接続されている第２の端子と、第２の電極と前記第２の端子との間を接続する第２の引き出し部と、一部の第１の電極同士を接続する第１の電極間接続部３２とを備える。複数の第１の電極には、第１の引き出し部と接続されているものと接続されていないものがあり、第１の電極間接続部３２は、第１の引き出し部と接続されていない第１の電極と、第１の引き出し部と電気的に接続されている他の第１の電極とを接続する。【選択図】図２
2019040723.tif 000002
【特許請求の範囲】
【請求項１】
正極と負極が複数積層された構造を有する積層型電池であって、
前記正極および前記負極のうちの一方の電極である複数の第１の電極と、
前記正極および前記負極のうちの他方の電極である複数の第２の電極と、
全ての前記第１の電極と電気的に接続されている第１の端子と、
前記第１の電極と前記第１の端子との間を接続する第１の引き出し部と、
全ての前記第２の電極と電気的に接続されている第２の端子と、
前記第２の電極と前記第２の端子との間を接続する第２の引き出し部と、
前記複数の第１の電極のうちの一部の前記第１の電極同士を接続する第１の電極間接続部と、
を備え、
前記複数の第１の電極には、前記第１の引き出し部と接続されているものと、前記第１の引き出し部と接続されていないものがあり、
前記第１の電極間接続部は、前記第１の引き出し部と接続されていない前記第１の電極と、前記第１の引き出し部と電気的に接続されている他の前記第１の電極との間を接続する、
ことを特徴とする積層型電池。
【請求項２】
前記第１の引き出し部と接続されていない前記第１の電極の数は、前記第１の引き出し部と接続されている前記第１の電極の数よりも多いことを特徴とする請求項１に記載の積層型電池
【請求項３】
前記第１の引き出し部と、前記第１の電極間接続部は、前記第１の電極の同じ辺側に位置していることを特徴とする請求項１または２に記載の積層型電池。
【請求項４】
前記第１の電極間接続部は、前記第１の電極のタブであることを特徴とする請求項１〜３のいずれかに記載の積層型電池。
【請求項５】
前記第１の引き出し部と接続されている前記第１の電極の数と、前記第１の引き出し部と接続されていない前記第１の電極の数との差の絶対値は、１以下であることを特徴とする請求項１〜４のいずれかに記載の積層型電池。
【請求項６】
前記複数の第２の電極には、前記第２の引き出し部と接続されているものと、前記第２の引き出し部と接続されていないものがあり、
前記第２の引き出し部と接続されていない前記第２の電極は、前記第２の引き出し部と電気的に接続されている他の前記第２の電極と接続されている、
ことを特徴とする請求項１〜５のいずれかに記載の積層型電池。
【発明の詳細な説明】
【技術分野】
【０００１】
本発明は、正極と負極が交互に複数積層された構造を有する積層型電池に関する。
【背景技術】
【０００２】
正極と負極が交互に複数積層された構造を有する積層型電池が知られている。この積層型電池では、電池の外部に正極端子および負極端子が露出しており、全ての正極が正極端子と電気的に接続され、全ての負極が負極端子と電気的に接続されている。
【０００３】
特許文献１には、全ての正極と正極端子との間を正極集電体により接続し、全ての負極と負極端子との間を負極集電体により接続した構造を有する積層型電池が記載されている。
【先行技術文献】
【特許文献】
【０００４】
【特許文献１】特開２００７−２５７８４９号公報
【発明の概要】
【発明が解決しようとする課題】
【０００５】
ここで、積層型電池は、セパレータを介して積層された長尺状の正極と負極が巻回されている巻回型電池と比べて、内部抵抗が小さく、内部短絡時の発熱が大きい。内部短絡時の安全性を向上させるために、電極集電体の表面に設ける活物質層の厚さを厚くし、電極の積層枚数を減らす方法が考えられるが、活物質層を厚くするのには限界があり、また、電池の負荷特性が低下するという問題が生じる。
【０００６】
本発明は、上記課題を解決するものであり、電池の負荷特性の低下を抑制しつつ、内部短絡時の安全性を向上させることができる積層型電池を提供することを目的とする。
【課題を解決するための手段】
【０００７】
本発明の積層型電池は、
正極と負極が複数積層された構造を有する積層型電池であって、
前記正極および前記負極のうちの一方の電極である複数の第１の電極と、
前記正極および前記負極のうちの他方の電極である複数の第２の電極と、
全ての前記第１の電極と電気的に接続されている第１の端子と、
前記第１の電極と前記第１の端子との間を接続する第１の引き出し部と、
全ての前記第２の電極と電気的に接続されている第２の端子と、
前記第２の電極と前記第２の端子との間を接続する第２の引き出し部と、
前記複数の第１の電極のうちの一部の前記第１の電極同士を接続する第１の電極間接続部と、
を備え、
前記複数の第１の電極には、前記第１の引き出し部と接続されているものと、前記第１の引き出し部と接続されていないものがあり、
前記第１の電極間接続部は、前記第１の引き出し部と接続されていない前記第１の電極と、前記第１の引き出し部と電気的に接続されている他の前記第１の電極との間を接続する、ことを特徴とする。
【０００８】
前記第１の引き出し部と接続されていない前記第１の電極の数は、前記第１の引き出し部と接続されている前記第１の電極の数よりも多い構成としてもよい。
【０００９】
また、前記第１の引き出し部と、前記第１の電極間接続部は、前記第１の電極の同じ辺側に位置していてもよい。
【００１０】
また、前記第１の電極間接続部は、前記第１の電極のタブであってもよい。
【００１１】
また、前記第１の引き出し部と接続されている前記第１の電極の数と、前記第１の引き出し部と接続されていない前記第１の電極の数との差の絶対値は、１以下としてもよい。
【００１２】
前記複数の第２の電極には、前記第２の引き出し部と接続されているものと、前記第２の引き出し部と接続されていないものがあり、
前記第２の引き出し部と接続されていない前記第２の電極は、前記第２の引き出し部と電気的に接続されている他の前記第２の電極と接続されている構成としてもよい。
【発明の効果】
【００１３】
本発明によれば、第１の引き出し部と接続されていない第１の電極は、第１の電極間接続部を介して接続されている他の第１の電極および第１の引き出し部を介して第１の端子と接続されているので、第１の端子との間の電流経路を長くすることができる。これにより、全ての第１の電極のそれぞれが第１の引き出し部を介して第１の端子と接続されている従来の積層型電池と比べて、内部抵抗を増大させることができるので、内部短絡時の安全性を向上させることができる。
【００１４】
また、電池の反応抵抗は、全ての第１の電極のそれぞれが第１の引き出し部を介して第１の端子と接続されている従来の積層型電池と同じであるので、負荷特性の低下を抑制することができる。
【図面の簡単な説明】
【００１５】
【図１】本発明の一実施の形態における積層型電池を構成する正極、負極およびセパレータの積層態様を示す断面図である。
【図２】正極と正極端子との間における電気的な接続の方法を説明するための図である。
【図３】正極引き出し部と第１の電極間接続部が正極の同一辺側に位置する場合の、接続箇所の一例を示す平面図である。
【図４】正極と正極端子との間を電気的に接続するための他の接続例を示す図である。
【図５】正極と正極端子との間を電気的に接続するためのさらに他の接続例を示す図である。
【図６】正極と正極端子との間を電気的に接続するためのさらに他の接続例を示す図である。
【図７】正極と正極端子との間を電気的に接続するためのさらに他の接続例を示す図である。
【発明を実施するための形態】
【００１６】
以下に本発明の実施形態を示して、本発明の特徴とするところをさらに具体的に説明する。
【００１７】
本発明の積層型電池は、正極と負極が複数積層された構造を有する。この積層型電池は、正極および負極のうちの一方の電極である複数の第１の電極と、正極および負極のうちの他方の電極である複数の第２の電極と、全ての第１の電極と電気的に接続されている第１の端子と、第１の電極と第１の端子との間を接続する第１の引き出し部と、全ての第２の電極と電気的に接続されている第２の端子と、第２の電極と第２の端子との間を接続する第２の引き出し部と、を備える。複数の第１の電極には、第１の引き出し部と接続されているものと、第１の引き出し部と接続されていないものがあり、第１の引き出し部と接続されていない第１の電極は、第１の電極間接続部を介して、第１の引き出し部と電気的に接続されている他の第１の電極と接続されている。
【００１８】
以下では、第１の電極が正極である例について説明する。ただし、後述するように、第１の電極は負極であってもよい。
【００１９】
また、以下では、本発明の積層型電池の一例として、リチウムイオン二次電池を例に挙げて説明する。ただし、本発明による積層型電池がリチウムイオン二次電池に限定されることはない。
【００２０】
図１は、本発明の一実施の形態における積層型電池１００の断面図である。
【００２１】
図１に示すように、積層型電池１００は、正極１１と負極１２がセパレータ１３を介して交互に複数積層されることによって形成されている積層体１０と、非水電解質１４とがラミネートケース２０内に収容された構造を有している。
【００２２】
正極１１は、正極集電体と、正極集電体の両面に形成された正極合材層とを有する。正極集電体としては、例えば、アルミニウムなどの金属箔を用いることができる。正極合材層は、正極活物質を含み、さらに、バインダおよび導電助剤を含んでいてもよい。正極活物質としては、例えば、コバルト酸リチウムを用いることができる。
【００２３】
なお、積層方向の最も外側に位置する電極が正極１１である場合、その外側に位置する正極１１については、正極集電体の両面のうち、積層方向内側の面にだけ正極合材層が形成されている構造としてもよい。
【００２４】
後述するように、全ての正極１１は、正極端子１６ａと電気的に接続されている。なお、本実施形態における積層型電池１００は、後述するように、正極１１と正極端子１６ａとの電気的接続の態様に特徴を有しており、図１では、その電気的接続の態様を示すことは困難であることから、正極１１と正極端子１６ａとの間を接続している正極引き出し部の図示は省略している。本実施形態における積層型電池１００の正極１１と正極端子１６ａとの電気的接続の態様については、積層型電池１００の全体の説明を行った後に、図２〜図７を参照しつつ詳しく説明する。
【００２５】
負極１２は、負極集電体と、負極集電体の両面に形成された負極合材層とを有する。負極集電体としては、例えば、銅などの金属箔を用いることができる。負極合材層は、負極活物質を含み、さらに、バインダおよび導電助剤を含んでいてもよい。負極活物質としては、例えば、グラファイトを用いることができる。
【００２６】
なお、積層方向の最も外側に位置する電極が負極１２である場合、その外側に位置する負極１２については、負極集電体の両面のうち、積層方向内側の面にだけ負極合材層が形成されている構造としてもよい。
【００２７】
全ての負極１２は、負極引き出し部１５を介して、負極端子１６ｂと電気的に接続されている。
【００２８】
セパレータ１３は、正極１１と負極１２との間に介在している。セパレータ１３としては、積層型電池に使用可能な種々のセパレータを特に制約なく用いることができる。図１に示すセパレータ１３はシート状の形状を有するが、袋状の形状を有するものであってもよいし、九十九折りの形状を有するものであってもよい。
【００２９】
非水電解質１４も積層型電池に使用可能なものであれば、どのようなものであってもよく、例えば、既知の非水電解液を用いることができる。非水電解質１４として、固体電解質を用いてもよい。なお、非水電解質１４として固体電解質を用いる場合、セパレータ１３が不要になる場合もあり得る。
【００３０】
外装体であるラミネートケース２０は、一対のラミネートフィルム２０ａおよび２０ｂの周縁部同士を熱圧着して接合することにより形成されている。
【００３１】
本実施形態における積層型電池１００は、積層体１０を構成する複数の正極１１には、正極引き出し部３１（図２参照）を介して正極端子１６ａと接続されている正極１１ａと、正極引き出し部３１と接続されていない正極１１ｂが含まれている。なお、ここでは、正極引き出し部３１が上述した第１の引き出し部に対応する。
【００３２】
図２は、正極１１と正極端子１６ａとの間の電気的な接続方法を説明するための図である。なお、図２では、視認性の観点から、負極１２、セパレータ１３およびラミネートケース２０などは省略している。
【００３３】
図２に示すように、本実施形態における積層型電池１００では、積層されている複数の正極１１のうち、一部の正極１１ａだけが正極引き出し部３１を介して、正極端子１６ａと接続されている。
【００３４】
図２に示す例では、積層方向に並ぶ複数の正極１１のうち、１つおきに位置する正極１１ａが正極引き出し部３１と接続されており、正極１１ａの間に、正極引き出し部３１と接続されていない正極１１ｂが位置している。正極引き出し部３１と接続されていない正極１１ｂは、第１の電極間接続部３２を介して、隣接する正極１１ａと接続されている。これにより、正極１１ｂは、正極１１ａおよび正極引き出し部３１を介して、正極端子１６ａと電気的に接続されている。
【００３５】
図２に示す例では、正極引き出し部３１は、積層体１０の長手方向の一辺１０ａ側で、正極１１ａと接続されている。また、正極引き出し部３１と接続されていない正極１１ｂは、積層体１０の長手方向の一辺１０ａと対向する他辺１０ｂ側で、正極１１ａと接続されている。
【００３６】
正極引き出し部３１と正極１１ａとの間、および、正極引き出し部３１と正極端子１６ａとの間は、どのような接続方法を用いて接続されていてもよく、例えば、超音波を用いた超音波接合、レーザ光を用いたレーザ接合、カシメなどを用いて接続することができる。正極引き出し部３１は、正極１１ａのタブと接続されていてもよいし、正極１１ａの本体部と接続されていてもよい。
【００３７】
本実施形態では、第１の電極間接続部３２は、正極１１ａのタブおよび正極１１ｂのタブである。すなわち、正極１１ａと正極１１ｂとの間は、正極１１ａのタブと正極１１ｂのタブとが接続されることによって形成された第１の電極間接続部３２を介して接続されている。第１の電極間接続部３２を正極１１のタブにより構成することにより、別の部材を用いる必要がないので、コストを低減することができる。
【００３８】
第１の電極間接続部３２を構成する正極１１ａのタブと正極１１ｂのタブとの間は、どのような接続方法を用いて接続されていてもよく、例えば、超音波を用いた超音波接合、レーザ光を用いたレーザ接合、カシメなどを用いて接続することができる。
【００３９】
なお、正極１１ａと正極１１ｂとの間の接続が正極タブ同士の接続に限定されることはなく、例えば、正極集電体同士を接続するようにしてもよいし、別の部材を用いて接続してもよい。
【００４０】
また、正極１１ａと正極１１ｂとの間を接続する第１の電極間接続部３２は、正極引き出し部３１が正極１１ａと接続されている側、すなわち、積層体１０の長手方向の一辺１０ａ側に位置していてもよい。第１の電極間接続部３２と、正極引き出し部３１を積層体１０の同じ辺側に設けることにより、異なる辺にそれぞれ設けられている構成と比べて、積層型電池１００を小型化することができる。
【００４１】
図３は、正極引き出し部３１と第１の電極間接続部３２が積層体１０の一辺１０ａ側に位置する場合の、接続箇所の一例を示す平面図である。ただし、図３では、正極引き出し部３１は、正極１１ａのタブ１１１と接続されている構成を示している。
【００４２】
すなわち、正極１１ａは、同一辺側に突出したタブ１１１および１１２を備え、タブ１１１は、正極引き出し部３１と接続され、タブ１１２は、第１の電極間接続部３２の一部を構成する。
【００４３】
このように、本実施形態における積層型電池１００では、正極引き出し部３１を介して正極端子１６ａと接続されている正極１１ａと、正極引き出し部３１と接続されていない正極１１ｂが存在する。正極引き出し部３１と接続されていない正極１１ｂは、正極引き出し部３１と接続されている正極１１ａと接続されているので、正極１１ａおよび正極引き出し部３１を介して正極端子１６ａと電気的に接続されることになる。これにより、電流経路が長くなるので、全ての正極がそれぞれ正極引き出し部を介して正極端子と接続されている従来の積層型電池と比べて、内部抵抗、より詳しくは、電子抵抗が増大し、内部短絡時の安全性が向上する。
【００４４】
また、電池の反応抵抗やリチウムイオンの拡散移動抵抗などは、全ての正極が正極引き出し部を介して正極端子と接続されている従来の積層型電池と同じであるので、従来の積層型電池に対して、負荷特性の低下を抑制することができる。
【００４５】
ここで、図２に示す構成では、正極引き出し部３１と接続されている正極１１ａと、正極引き出し部３１と接続されていない正極１１ｂが積層方向に交互に配置されている。このため、正極引き出し部３１と接続されている正極１１ａの数と、正極引き出し部３１と接続されていない正極１１ｂの数との差の絶対値は、１以下である。この構成によれば、内部短絡時の安全性の向上と、内部抵抗の増大の抑制とを実現することができる。
【００４６】
すなわち、全ての正極が正極引き出し部を介して正極端子と接続されている従来の積層型電池を基準として、正極引き出し部と接続されていない正極の数を増やしていくと、電子抵抗の増大により、内部短絡時の安全性の向上度合いも大きくなっていく。このため、正極引き出し部３１と接続されている正極１１ａの数と、正極引き出し部３１と接続されていない正極１１ｂの数との差の絶対値を、１以下とすることにより、内部短絡時の安全性の向上と、内部抵抗の増大の抑制とをバランスよく両立させることができる。
【００４７】
＜変形例１＞
図４は、正極１１と正極端子１６ａとの間を電気的に接続するための他の接続例を示す図である。図４に示す構成でも、積層されている複数の正極１１には、正極引き出し部３１と接続されている正極１１ａと、正極引き出し部３１と接続されていない正極１１ｂが存在する。
【００４８】
正極端子１６ａは、１つの正極引き出し部３１を介して、１つの正極１１ａ、より具体的には、積層方向の一番下に位置する正極１１ａと接続されている。この正極１１ａは、積層方向に隣接する、１つ上の層の正極１１ｂと、第１の電極間接続部３２を介して接続されている。
【００４９】
正極引き出し部３１と接続されていない正極１１ｂはそれぞれ、第１の電極間接続部３２を介して、隣接する他の正極１１ｂと接続されている。より具体的には、積層方向に配置されている全ての正極１１が直列接続されるような態様で、隣接する正極１１ｂ同士が接続されている。
【００５０】
この図４に示す接続構造によれば、正極端子１６ａは、正極引き出し部３１を介して、１つの正極１１ａとだけ接続されている。
【００５１】
このように、正極引き出し部３１と接続されている正極１１ａの数よりも、正極引き出し部３１と接続されていない正極１１ｂの数の方が多い構成とすることにより、より効果的に電子抵抗を増大させて、内部短絡時の安全性を向上させることができる。
【００５２】
なお、積層型電池では、最外層の電極において、電極の反りの発生を抑制するために、電極合材層の厚さを厚くする構成が考えられる。そのような構成において、他の電極と比べて、最外層の電極に大きい電流が流れることを抑制するために、図４に示すような接続構造として、最外層の電極の抵抗を増大させるようにしてもよい。
【００５３】
＜変形例２＞
図５は、正極１１と正極端子１６ａとの間を電気的に接続するためのさらに他の接続例を示す図である。図５に示す構成でも、積層されている複数の正極１１には、正極引き出し部３１と接続されている正極１１ａと、正極引き出し部３１と接続されていない正極１１ｂが存在する。
【００５４】
図５に示す構成では、積層方向に連続して並ぶ３つの正極１１のうち、２つの正極１１ａが正極引き出し部３１と接続されており、残りの１つの正極１１ｂが正極引き出し部３１と接続されていない。この正極１１ｂは、上記２つの正極１１ａのうちの一方と、第１の電極間接続部３２を介して接続されている。
【００５５】
この図５に示す接続構造でも、全ての正極がそれぞれ正極引き出し部を介して正極端子と接続されている従来の積層型電池と比べて、電子抵抗が増大し、内部短絡時の安全性が向上する。
【００５６】
＜変形例３＞
図６は、正極１１と正極端子１６ａとの間を電気的に接続するためのさらに他の接続例を示す図である。図６に示す構成でも、積層されている複数の正極１１には、正極引き出し部３１と接続されている正極１１ａと、正極引き出し部３１と接続されていない正極１１ｂが存在する。
【００５７】
図６に示す構成では、１つの正極１１ｂだけが正極引き出し部３１と接続されておらず、他の全ての正極１１ａは、正極引き出し部３１とそれぞれ接続されている。この正極１１ｂは、全ての正極１１の中で、積層方向の一番上に位置しており、積層方向の一番下に位置している正極１１ａと、第１の電極間接続部３２を介して接続されている。
【００５８】
この図６に示す構成でも、全ての正極が正極引き出し部を介して正極端子と接続されている従来の積層型電池と比べて、電子抵抗が増大し、内部短絡時の安全性が向上する。
【００５９】
＜変形例４＞
図７は、正極１１と正極端子１６ａとの間を電気的に接続するためのさらに他の接続例を示す図である。図７に示す構成でも、積層されている複数の正極１１には、正極引き出し部３１と接続されている正極１１ａと、正極引き出し部３１と接続されていない正極１１ｂが存在する。
【００６０】
図７に示す構成では、積層方向に連続して並ぶ３つの正極１１のうち、１つの正極１１ａが正極引き出し部３１と接続されており、残りの２つの正極１１ｂが正極引き出し部３１と接続されていない。この２つの正極１１ｂは、上記正極１１ａと、第１の電極間接続部３２を介してそれぞれ接続されている。この場合、第１の電極間接続部３２は、正極１１ａのタブおよび２つの正極１１ｂのタブにより構成される。
【００６１】
なお、図７では、第１の電極間接続部３２によって３枚の正極が接続され、その３枚のうちの１枚の正極１１ａが正極引き出し部３１と接続されているが、第１の電極間接続部３２によって４枚以上の正極が接続され、その４枚以上の正極のうちの１枚の正極１１ａが正極引き出し部３１と接続される構成としてもよい。
【００６２】
このように、本発明の積層型電池１００によれば、正極引き出し部３１と接続する正極１１ａの数を調整することによって、低抵抗性と内部短絡時の安全性のバランスを調整することができる。
【００６３】
本発明は、上記実施形態に限定されるものではなく、本発明の範囲内において、種々の応用、変形を加えることが可能である。
【００６４】
例えば、上述した実施形態の積層型電池１００では、積層されている複数の正極１１のうち、一部の正極１１ａだけが正極引き出し部３１と接続されており、かつ、全ての負極１２が負極引き出し部１５とそれぞれ接続されている構成であったが、正極と負極の構成を逆にしてもよい。
【００６５】
すなわち、積層されている複数の負極１２のうち、一部の負極だけが負極引き出し部１５と接続されており、全ての正極１１が正極引き出し部３１とそれぞれ接続されている構成としてもよい。この場合、負極引き出し部１５と接続されていない負極は、第２の電極間接続部を介して、負極引き出し部１５と電気的に接続されている他の負極と接続されている構成とする。第２の電極間接続部は、例えば、負極のタブにより構成することができるが、負極集電体により構成してもよいし、別の部材を用いてもよい。
【００６６】
例えば、正極１１と比べて負極１２の方が抵抗が低く、負極１２の抵抗を増大させたいという要求がある場合には、上述したように、積層されている複数の負極１２のうち、一部の負極だけが負極引き出し部１５と接続される構成とすることができる。
【００６７】
一方、積層型電池１００がリチウムイオン二次電池の場合において、負極におけるリチウムの析出を抑制するという観点からは、負極１２側ではなく、正極１１側の抵抗を増大させるような構成とすることが好ましい。
【００６８】
また、積層されている複数の正極１１のうち、一部の正極１１ａだけが正極引き出し部３１と接続されており、かつ、積層されている複数の負極１２のうち、一部の負極だけが負極引き出し部１５と接続されている構成としてもよい。この場合も、正極引き出し部３１と接続されていない正極１１ｂは、第１の電極間接続部３２を介して、正極引き出し部３１と電気的に接続されている他の正極と接続されており、負極引き出し部１５と接続されていない負極は、第２の電極間接続部を介して、負極引き出し部１５と電気的に接続されている他の負極と接続されている構成とすればよい。
【００６９】
正極引き出し部３１が一部の正極１１ａとだけ接続されている場合、正極引き出し部３１と接続されている正極１１ａは、複数の正極１１のうちの任意の正極とすることができる。同様に、負極引き出し部１５が一部の負極とだけ接続されている場合、負極引き出し部１５と接続されている負極は、複数の負極１２のうちの任意の負極とすることができる。
【００７０】
外装体は、ラミネートケースに限定されることはなく、金属缶であってもよい。
【００７１】
図１に示す構成では、負極端子１６ｂは、ラミネートケース２０から、正極端子１６ａと反対側に突出しているが、正極端子１６ａと同じ側に突出する構成であってもよい。
【符号の説明】
【００７２】
１０    積層体
１１    正極
１１ａ  正極引き出し部と接続されている正極
１１ｂ  正極引き出し部と接続されていない正極
１２    負極
１３    セパレータ
１４    非水電解質
１５    負極引き出し部
１６ａ  正極端子
１６ｂ  負極端子
２０    ラミネートケース
３１    正極引き出し部
３２    第１の電極間接続部
１００  積層型電池
１１１  正極引き出し部と接続される正極タブ
１１２  第１の電極間接続部の一部を構成する正極タブ
【図１】
2019040723.tif 000003
【図２】
2019040723.tif 000004
【図３】
2019040723.tif 000005
【図４】
2019040723.tif 000006
【図５】
2019040723.tif 000007
【図６】
2019040723.tif 000008
【図７】
2019040723.tif 000009